(57)【特許請求の範囲】
【請求項１】
外部端末（２）から送信されたコマンドに基づいて移動端末（３）の試験を行う移動端末試験装置であって、
前記移動端末と信号を送受信することで基地局を擬似する複数の擬似基地局（１１ａ〜１１ｃ）と、
前記外部端末から送信されたコマンドを受信するコマンド受信部（１０）と、
前記コマンド受信部に受信されたコマンドに応じて前記擬似基地局を制御する制御部（１２）と、を備え、
前記制御部は、
前記複数の擬似基地局のうち少なくとも１つの擬似基地局を制御するための第１種別のコマンドが前記コマンド受信部によって受信されたことを条件に、当該少なくとも１つの擬似基地局を前記第１種別のコマンドに応じて制御し、
前記複数の擬似基地局を制御するための第２種別のコマンドが前記コマンド受信部によって受信されたことを条件に、前記複数の擬似基地局のうち前記第２種別のコマンドに応じた少なくとも１つの擬似基地局を前記第２種別のコマンドの制御内容の通りに制御するとともに、他の擬似基地局を前記第２種別のコマンドと制御内容が相反するように制御するようになっており、
さらに、
前記擬似基地局を識別するための識別情報が付された第３種別のコマンドが前記コマンド受信部によって受信された場合に、前記第３種別のコマンドに付された識別情報及び前記第３種別のコマンドの制御内容に応じて、少なくとも１つの前記第３種別のコマンドを前記第１種別及び前記第２種別のコマンドのいずれかのコマンドに変換するコマンド変換部（１４）を備えた移動端末試験装置。
【請求項２】
外部端末（２）から送信されたコマンドに基づいて移動端末（３）の試験を行う移動端末試験装置であって、
前記移動端末と信号を送受信することで基地局を擬似する複数の擬似基地局（１１ａ〜１１ｃ）と、
前記外部端末から送信されたコマンドを受信するコマンド受信部（１０）と、
前記コマンド受信部に受信されたコマンドに応じて前記擬似基地局を制御する制御部（１２）と、を備え、
前記制御部は、
前記複数の擬似基地局のうち少なくとも１つの擬似基地局を制御するための第１種別のコマンドが前記コマンド受信部によって受信されたことを条件に、当該少なくとも１つの擬似基地局を前記第１種別のコマンドに応じて制御するようになっており、
さらに、
前記擬似基地局を識別するための識別情報が付された第３種別のコマンドが前記コマンド受信部によって受信された場合に、前記第３種別のコマンドに付された識別情報及び前記第３種別のコマンドの制御内容に応じて、少なくとも１つの前記第３種別のコマンドを前記第１種別のコマンドに変換するコマンド変換部（１４）を備えた移動端末試験装置。
【請求項３】
移動端末（３）と信号を送受信することで基地局を擬似する複数の擬似基地局（１１ａ〜１１ｃ）を有する移動端末試験装置（１）を用いて、外部端末（２）から送信されたコマンドに基づいて前記移動端末の試験を行う移動端末試験方法であって、
前記外部端末から送信されたコマンドを受信するコマンド受信ステップと、
前記コマンド受信ステップで受信されたコマンドに応じて前記擬似基地局を制御する制御ステップと、を有し、
前記制御ステップは、
前記複数の擬似基地局のうち少なくとも１つの擬似基地局を制御するための第１種別のコマンドが前記コマンド受信部によって受信されたことを条件に、当該少なくとも１つの擬似基地局を前記第１種別のコマンドに応じて制御する第１制御ステップと、
前記複数の擬似基地局を制御するための第２種別のコマンドが前記コマンド受信ステップで受信されたことを条件に、前記複数の擬似基地局のうち前記第２種別のコマンドに応じた少なくとも１つの擬似基地局を前記第２種別のコマンドの制御内容の通りに制御するとともに、他の擬似基地局を前記第２種別のコマンドと制御内容が相反するように制御する第２制御ステップとを含み、
さらに、
前記擬似基地局を識別するための識別情報が付された第３種別のコマンドが前記コマンド受信ステップで受信された場合に、前記第３種別のコマンドに付された識別情報及び前記第３種別のコマンドの制御内容に応じて、少なくとも１つの前記第３種別のコマンドを前記第１種別及び前記第２種別のコマンドのいずれかのコマンドに変換するコマンド変換ステップを有する移動端末試験方法。
【請求項４】
移動端末（３）と信号を送受信することで基地局を擬似する複数の擬似基地局（１１ａ〜１１ｃ）を有する移動端末試験装置（１）を用いて、外部端末（２）から送信されたコマンドに基づいて前記移動端末の試験を行う移動端末試験方法であって、
前記外部端末から送信されたコマンドを受信するコマンド受信ステップと、
前記コマンド受信ステップで受信されたコマンドに応じて前記擬似基地局を制御する制御ステップと、を有し、
前記制御ステップは、
前記複数の擬似基地局のうち少なくとも１つの擬似基地局を制御するための第１種別のコマンドが前記コマンド受信部によって受信されたことを条件に、当該少なくとも１つの擬似基地局を前記第１種別のコマンドに応じて制御する第１制御ステップを含み、
さらに、
前記擬似基地局を識別するための識別情報が付された第３種別のコマンドが前記コマンド受信ステップで受信された場合に、前記第３種別のコマンドに付された識別情報及び前記第３種別のコマンドの制御内容に応じて、少なくとも１つの前記第３種別のコマンドを前記第１種別のコマンドに変換するコマンド変換ステップを有する移動端末試験方法。
【発明の詳細な説明】
【技術分野】
【０００１】
本発明は、移動端末の試験を行う移動端末試験装置及び移動端末試験方法に関する。
【背景技術】
【０００２】
近年、ＤＣ−ＨＳＤＰＡ(Dual Cell High Speed Downlink Packet Access)及びＬＴＥ−Ａ（Long Term Evolution Advanced）などのように、複数のキャリアを用いて通信を行う規格に準拠した移動端末が開発されている。このような移動端末の試験を行うために、複数の移動端末試験装置を用いる技術が特許文献１に提案されている。
【先行技術文献】
【特許文献】
【０００３】
【特許文献１】特開２０１５−０３５６８９号公報
【発明の概要】
【発明が解決しようとする課題】
【０００４】
上述したような従来の技術は、複数の移動端末試験装置を連携させて制御する必要があるため、各移動端末試験装置を設定したり、各移動端末試験装置に処理を実行させたりするためのコマンドが複雑になり、コマンドを設定するユーザに負担をかけてしまうといった課題があった。
【０００５】
本発明は、このような課題を解決するためになされたもので、複数のキャリアを用いて通信を行う規格に準拠した移動端末の試験を行うにあたって、コマンドを設定するユーザにかかる負担を軽減することができる移動端末試験装置及び移動端末試験方法を提供することを目的とする。
【課題を解決するための手段】
【０００６】
本発明の移動端末試験装置は、外部端末（２）から送信されたコマンドに基づいて移動端末（３）の試験を行う移動端末試験装置であって、前記移動端末と信号を送受信することで基地局を擬似する複数の擬似基地局（１１ａ〜１１ｃ）と、前記外部端末から送信されたコマンドを受信するコマンド受信部（１０）と、前記コマンド受信部に受信されたコマンドに応じて前記擬似基地局を制御する制御部（１２）と、を備え、前記制御部は、前記複数の擬似基地局のうち少なくとも１つの擬似基地局を制御するための第１種別のコマンドが前記コマンド受信部によって受信されたことを条件に、当該少なくとも１つの擬似基地局を前記第１種別のコマンドに応じて制御し、前記複数の擬似基地局を制御するための第２種別のコマンドが前記コマンド受信部によって受信されたことを条件に、前記複数の擬似基地局のうち前記第２種別のコマンドに応じた少なくとも１つの擬似基地局を前記第２種別のコマンドの制御内容の通りに制御するとともに、他の擬似基地局を前記第２種別のコマンドと制御内容が相反するように制御するようになっており、さらに、前記擬似基地局を識別するための識別情報が付された第３種別のコマンドが前記コマンド受信部によって受信された場合に、前記第３種別のコマンドに付された識別情報及び前記第３種別のコマンドの制御内容に応じて、少なくとも１つの前記第３種別のコマンドを前記第１種別及び前記第２種別のコマンドのいずれかのコマンドに変換するコマンド変換部（１４）を備えた構成を有している。
【０００７】
この構成により、本発明の移動端末試験装置は、第１種別又は第２種別の１つのコマンドによって複数の擬似基地局を連携させて制御することができるため、複数のキャリアを用いて通信を行う規格に準拠した移動端末の試験を行うにあたって、コマンドを設定するユーザにかかる負担を軽減することができる。また、本発明の移動端末試験装置は、複数のキャリアを用いて通信を行う規格に準拠した移動端末を試験するために複数の移動端末試験装置を用いる際に使用する一連のコマンドよりなるリモートシーケンスを利用することができ、リモートシーケンスを新たに作成するユーザの負担を省くことができる。
【０００８】
本発明の移動端末試験装置は、外部端末（２）から送信されたコマンドに基づいて移動端末（３）の試験を行う移動端末試験装置であって、前記移動端末と信号を送受信することで基地局を擬似する複数の擬似基地局（１１ａ〜１１ｃ）と、前記外部端末から送信されたコマンドを受信するコマンド受信部（１０）と、前記コマンド受信部に受信されたコマンドに応じて前記擬似基地局を制御する制御部（１２）と、を備え、前記制御部は、前記複数の擬似基地局のうち少なくとも１つの擬似基地局を制御するための第１種別のコマンドが前記コマンド受信部によって受信されたことを条件に、当該少なくとも１つの擬似基地局を前記第１種別のコマンドに応じて制御するようになっており、さらに、前記擬似基地局を識別するための識別情報が付された第３種別のコマンドが前記コマンド受信部によって受信された場合に、前記第３種別のコマンドに付された識別情報及び前記第３種別のコマンドの制御内容に応じて、少なくとも１つの前記第３種別のコマンドを前記第１種別のコマンドに変換するコマンド変換部（１４）を備えた構成を有している。
【０００９】
この構成により、本発明の移動端末試験装置は、第１種別の１つのコマンドによって複数の擬似基地局を連携させて制御することができるため、複数のキャリアを用いて通信を行う規格に準拠した移動端末の試験を行うにあたって、コマンドを設定するユーザにかかる負担を軽減することができる。また、本発明の移動端末試験装置は、複数のキャリアを用いて通信を行う規格に準拠した移動端末を試験するために複数の移動端末試験装置を用いる際に使用する一連のコマンドよりなるリモートシーケンスを利用することができ、リモートシーケンスを新たに作成するユーザの負担を省くことができる。
【００１０】
本発明の移動端末試験方法は、移動端末（３）と信号を送受信することで基地局を擬似する複数の擬似基地局（１１ａ〜１１ｃ）を有する移動端末試験装置（１）を用いて、外部端末（２）から送信されたコマンドに基づいて前記移動端末の試験を行う移動端末試験方法であって、前記外部端末から送信されたコマンドを受信するコマンド受信ステップと、前記コマンド受信ステップで受信されたコマンドに応じて前記擬似基地局を制御する制御ステップと、を有し、前記制御ステップは、前記複数の擬似基地局のうち少なくとも１つの擬似基地局を制御するための第１種別のコマンドが前記コマンド受信部によって受信されたことを条件に、当該少なくとも１つの擬似基地局を前記第１種別のコマンドに応じて制御する第１制御ステップと、前記複数の擬似基地局を制御するための第２種別のコマンドが前記コマンド受信ステップで受信されたことを条件に、前記複数の擬似基地局のうち前記第２種別のコマンドに応じた少なくとも１つの擬似基地局を前記第２種別のコマンドの制御内容の通りに制御するとともに、他の擬似基地局を前記第２種別のコマンドと制御内容が相反するように制御する第２制御ステップとを含み、さらに、前記擬似基地局を識別するための識別情報が付された第３種別のコマンドが前記コマンド受信ステップで受信された場合に、前記第３種別のコマンドに付された識別情報及び前記第３種別のコマンドの制御内容に応じて、少なくとも１つの前記第３種別のコマンドを前記第１種別及び前記第２種別のコマンドのいずれかのコマンドに変換するコマンド変換ステップを有する。
【００１１】
このように、本発明の移動端末試験方法は、第１種別又は第２種別の１つのコマンドによって複数の擬似基地局を連携させて制御することができるため、複数のキャリアを用いて通信を行う規格に準拠した移動端末の試験を行うにあたって、コマンドを設定するユーザにかかる負担を軽減することができる。また、本発明の移動端末試験方法は、複数のキャリアを用いて通信を行う規格に準拠した移動端末を試験するために複数の移動端末試験装置を用いる際に使用する一連のコマンドよりなるリモートシーケンスを利用することができ、リモートシーケンスを新たに作成するユーザの負担を省くことができる。
【００１２】
本発明の移動端末試験方法は、移動端末（３）と信号を送受信することで基地局を擬似する複数の擬似基地局（１１ａ〜１１ｃ）を有する移動端末試験装置（１）を用いて、外部端末（２）から送信されたコマンドに基づいて前記移動端末の試験を行う移動端末試験方法であって、前記外部端末から送信されたコマンドを受信するコマンド受信ステップと、前記コマンド受信ステップで受信されたコマンドに応じて前記擬似基地局を制御する制御ステップと、を有し、前記制御ステップは、前記複数の擬似基地局のうち少なくとも１つの擬似基地局を制御するための第１種別のコマンドが前記コマンド受信部によって受信されたことを条件に、当該少なくとも１つの擬似基地局を前記第１種別のコマンドに応じて制御する第１制御ステップを含み、さらに、前記擬似基地局を識別するための識別情報が付された第３種別のコマンドが前記コマンド受信ステップで受信された場合に、前記第３種別のコマンドに付された識別情報及び前記第３種別のコマンドの制御内容に応じて、少なくとも１つの前記第３種別のコマンドを前記第１種別のコマンドに変換するコマンド変換ステップを有する。
【００１３】
このように、本発明の移動端末試験方法は、第１種別の１つのコマンドによって複数の擬似基地局を連携させて制御することができるため、複数のキャリアを用いて通信を行う規格に準拠した移動端末の試験を行うにあたって、コマンドを設定するユーザにかかる負担を軽減することができる。また、本発明の移動端末試験方法は、複数のキャリアを用いて通信を行う規格に準拠した移動端末を試験するために複数の移動端末試験装置を用いる際に使用する一連のコマンドよりなるリモートシーケンスを利用することができ、リモートシーケンスを新たに作成するユーザの負担を省くことができる。
【発明の効果】
【００１４】
本発明は、複数のキャリアを用いて通信を行う規格に準拠した移動端末の試験を行うにあたって、コマンドを設定するユーザにかかる負担を軽減することができる移動端末試験装置及び移動端末試験方法を提供することができる。
【図面の簡単な説明】
【００１５】
【図１】図１は、本発明の実施の形態に係る移動端末試験装置のブロック図である。
【図２】図２は、本発明の実施の形態に係る移動端末試験装置によって実行されるコマンド受信動作を示すフローチャートである。
【発明を実施するための形態】
【００１６】
以下、本発明の実施の形態について、図面を参照して説明する。
【００１７】
図１に示すように、移動端末試験装置１は、外部端末としてのパーソナルコンピュータ装置（以下、単に「ＰＣ」という）２から送信されたコマンドに基づいて移動端末３の試験を行うようになっている。
【００１８】
移動端末３は、ＤＣ−ＨＳＤＰＡ及びＬＴＥ−Ａなどのように、複数のキャリアを用いて通信を行う規格に準拠して構成されている。なお、本実施の形態に係る移動端末試験装置１は、ＬＴＥ−Ａに準拠した移動端末３を試験する装置とする。
【００１９】
本実施の形態において、移動端末試験装置１は、同軸ケーブルなどを介して有線で移動端末３と信号を送受信するようになっている。なお、移動端末試験装置１は、アンテナを介して無線で移動端末３と信号を送受信するようにしてもよい。
【００２０】
移動端末試験装置１は、移動端末３と通信を行うための通信モジュールが設けられた図示しないコンピュータ装置によって構成される。このコンピュータ装置は、それぞれ図示しないＣＰＵ（Central Processing Unit）と、ＲＯＭ（Read Only Memory）と、ＲＡＭ（Random Access Memory）と、ハードディスク装置と、入力装置と、表示装置と、各種入出力ポートとを有する。
【００２１】
このコンピュータ装置のＲＯＭ及びハードディスク装置には、コンピュータ装置を移動端末試験装置１として機能させるためのプログラムが格納されている。すなわち、ＣＰＵがＲＡＭを作業領域としてＲＯＭに格納されたプログラムを実行することにより、当該コンピュータ装置は、移動端末試験装置１として機能する。
【００２２】
移動端末試験装置１は、ＰＣ２と通信を行うための通信部５を備えている。通信部５は、通信モジュールによって構成される。通信部５は、入出力ポートに接続されたイーサネット（登録商標）に準拠したネットワークを介してＰＣ２に接続されている。
【００２３】
移動端末試験装置１は、ＰＣ２から送信されたコマンドを受信するコマンド受信部１０と、移動端末３と信号を送受信することで基地局を擬似する複数の擬似基地局１１ａ〜１１ｃと、コマンド受信部１０に受信されたコマンドに応じて擬似基地局１１ａ〜１１ｃを制御する制御部１２と、結合器１３と、コマンド受信部１０によって受信された受信コマンドを変換するコマンド変換部１４と、コマンドを受信した移動端末３によって送信された応答データを解析する応答データ解析部１５と、応答データ解析部１５による解析の結果を表す解析データをＰＣ２に送信する解析データ送信部１６とを更に含んで構成される。
【００２４】
本実施の形態において、コマンド受信部１０及び解析データ送信部１６は、通信部５によって構成される。各擬似基地局１１ａ〜１１ｃは、ＦＰＧＡ（field-programmable gate array）等のプログラマブルなデバイス、又は、ＬＳＩ（Large Scale Integration）等のハードウェアによって構成される。制御部１２、コマンド変換部１４及び応答データ解析部１５は、ＣＰＵによって構成される。
【００２５】
なお、図１において、３つの擬似基地局１１ａ〜１１ｃが図示されているが、擬似基地局の数は、２以上であればよく、その数を限定するものではない。以下の説明においては、ＬＴＥ−Ａに準拠したＣＡ（Carrier Aggregation）に用いられる各ＣＣ（Component Carrier）に対して、擬似基地局１１ａがＰＣＣ（Primary Component Carrier）を用いた通信を行うように設定され、擬似基地局１１ｂがＳＣＣ（Secondary Component Carrier）としてＳＣＣ−１を用いた通信を行うように設定され、擬似基地局１１ｃがＳＣＣとしてＳＣＣ−２を用いた通信を行うように設定されることとする。
【００２６】
コマンド受信部１０に受信されるコマンドとしては、第１種別のコマンドと、第２種別のコマンドと、擬似基地局１１ａ〜１１ｃを識別するための識別情報が付された第３種別のコマンドとがある。
【００２７】
本実施の形態において、擬似基地局１１ａ〜１１ｃを識別するために識別情報は、ＴＣＰ（Transmission Control Protocol）ポート番号（以下、単に「ポート番号」という）とするが、擬似基地局１１ａ〜１１ｃが識別できる情報であれば、いかなる情報でもよい。
【００２８】
第１種別のコマンドは、擬似基地局１１ａ〜１１ｃのうち少なくとも１つの擬似基地局を制御するためのコマンドであり、制御対象とするＣＣが規定されている。制御部１２は、第１種別のコマンドの制御対象として複数のＣＣが規定されている場合には、該当する擬似基地局１１ａ〜１１ｃを第１種別のコマンドに応じた同一な制御内容で制御するようになっている。
【００２９】
第１種別のコマンドとしては、「PRESET」、「DLSCC」、「BANDWIDTH」、「DLCHAN」、「BANDWIDTH_SCC1」、「BANDWIDTH_SCC2」、「DLCHAN_SCC1」、「DLCHAN_SCC2」、「DLRMC_RB」、「DLRB_START」、「DLIMCS1」、「DLIMCS2」、「DLIMCS3」、「OLVL」、「DLRMC_RB_SCC1」、「DLRB_START_SCC1」、「DLIMCS1_SCC1」、「DLIMCS2_SCC1」、「DLIMCS3_SCC1」、「OLVL_SCC1」及び「OLVL_SCC2」などがある。
【００３０】
例えば、「PRESET」は、全てのＣＣのパラメータを初期設定するためのコマンドであり、制御部１２は、「PRESET」に応じて、パラメータを初期化するように擬似基地局１１ａ〜１１ｃを制御する。
【００３１】
また、「DLSCC」は、下りのＳＣＣの数を設定するためのコマンドであり、制御部１２は、「DLSCC」に応じて、下りのＳＣＣの数を設定するように擬似基地局１１ａを制御する。例えば、制御部１２は、擬似基地局１１ｂ及び１１ｃを下りのＳＣＣとする場合には、「DLSCC」の値として「２」が設定される。
【００３２】
「BANDWIDTH」は、ＰＣＣのチャネルの帯域幅を設定するためのコマンドであり、制御部１２は、「BANDWIDTH」に応じて、ＰＣＣのチャネルの帯域幅を設定するように擬似基地局１１ａを制御する。
【００３３】
「DLCHAN」は、ＰＣＣの下りのチャネルを設定するためのコマンドであり、制御部１２は、「DLCHAN」に応じて、ＰＣＣの下りのチャネルを設定するように擬似基地局１１ａを制御する。
【００３４】
「BANDWIDTH_SCC1」は、ＳＣＣ−１のチャネルの帯域幅を設定するためのコマンドであり、制御部１２は、「BANDWIDTH_SCC1」に応じて、ＳＣＣ−１のチャネルの帯域幅を設定するように擬似基地局１１ａ及び１１ｂを制御する。ＳＣＣ−２のチャネルの帯域幅を設定するための「BANDWIDTH_SCC2」も同様である。
【００３５】
「DLCHAN_SCC1」は、ＳＣＣ−１の下りのチャネルを設定するためのコマンドであり、制御部１２は、「DLCHAN_SCC1」に応じて、ＳＣＣ−１の下りのチャネルを設定するように擬似基地局１１ａ及び１１ｂを制御する。ＳＣＣ−２の下りのチャネルを設定するための「DLCHAN_SCC2」も同様である。
【００３６】
「DLRMC_RB」は、ＰＣＣの下りのＲＭＣ（Reference Measurement Channel）におけるリソースブロック（Resource Block、以下、「ＲＢ」という）の数を設定するためのコマンドであり、制御部１２は、「DLRMC_RB」に応じて、ＰＣＣの下りのＲＭＣにおけるＲＢの数を設定するように擬似基地局１１ａを制御する。
【００３７】
「DLRB_START」は、ＰＣＣの下りのＲＭＣにおけるＲＢの開始番号を設定するためのコマンドであり、制御部１２は、「DLRB_START」に応じて、ＰＣＣの下りのＲＭＣにおけるＲＢの開始番号を設定するように擬似基地局１１ａを制御する。
【００３８】
「DLIMCS1」は、ＰＣＣの下りのＭＣＳ（Modulation and Coding Scheme）の第１インデックス番号を設定するためのコマンドであり、制御部１２は、「DLIMCS1」に応じて、ＰＣＣの下りのＭＣＳの第１インデックス番号を設定するように擬似基地局１１ａを制御する。
【００３９】
「DLIMCS2」は、ＰＣＣの下りのＭＣＳの第２インデックス番号を設定するためのコマンドであり、制御部１２は、「DLIMCS2」に応じて、ＰＣＣの下りのＭＣＳの第２インデックス番号を設定するように擬似基地局１１ａを制御する。
【００４０】
「DLIMCS3」は、ＰＣＣの下りのＭＣＳの第３インデックス番号を設定するためのコマンドであり、制御部１２は、「DLIMCS3」に応じて、ＰＣＣの下りのＭＣＳの第３インデックス番号を設定するように擬似基地局１１ａを制御する。
【００４１】
「OLVL」は、ＰＣＣの出力レベルを設定するためのコマンドであり、制御部１２は、「OLVL」に応じて、ＰＣＣの出力レベルを設定するように擬似基地局１１ａを制御する。
【００４２】
「DLRMC_RB_SCC1」は、ＳＣＣ−１の下りのＲＭＣにおけるＲＢの数を設定するためのコマンドであり、制御部１２は、「DLRMC_RB_SCC1」に応じて、ＳＣＣ−１の下りのＲＭＣにおけるＲＢの数を設定するように擬似基地局１１ａを制御する。
【００４３】
「DLRB_START_SCC1」は、ＳＣＣ−１の下りのＲＭＣにおけるＲＢの開始番号を設定するためのコマンドであり、制御部１２は、「DLRB_START_SCC1」に応じて、ＳＣＣ−１の下りのＲＭＣにおけるＲＢの開始番号を設定するように擬似基地局１１ａを制御する。
【００４４】
「DLIMCS1_SCC1」は、ＳＣＣ−１の下りのＭＣＳの第１インデックス番号を設定するためのコマンドであり、制御部１２は、「DLIMCS1_SCC1」に応じて、ＳＣＣ−１の下りのＭＣＳの第１インデックス番号を設定するように擬似基地局１１ａを制御する。
【００４５】
「DLIMCS2_SCC1」は、ＳＣＣ−１の下りのＭＣＳの第２インデックス番号を設定するためのコマンドであり、制御部１２は、「DLIMCS2_SCC1」に応じて、ＳＣＣ−１の下りのＭＣＳの第２インデックス番号を設定するように擬似基地局１１ａを制御する。
【００４６】
「DLIMCS3_SCC1」は、ＳＣＣ−１の下りのＭＣＳの第３インデックス番号を設定するためのコマンドであり、制御部１２は、「DLIMCS3_SCC1」に応じて、ＳＣＣ−１の下りのＭＣＳの第３インデックス番号を設定するように擬似基地局１１ａを制御する。
【００４７】
「OLVL_SCC1」は、ＳＣＣ−１の出力レベルを設定するためのコマンドであり、制御部１２は、「OLVL_SCC1」に応じて、ＳＣＣ−１の出力レベルを設定するように擬似基地局１１ｂを制御する。ＳＣＣ−２の出力レベルを設定するための「OLVL_SCC2」も同様である。
【００４８】
このように、「PRESET」、「BANDWIDTH_SCC1」、「BANDWIDTH_SCC2」、「DLCHAN_SCC1」及び「DLCHAN_SCC2」などの第１種別のコマンドは、一度の受信に対して、複数の擬似基地局１１ａ〜１１ｃが制御部１２によって制御される。これにより、コマンドの過不足などの原因で擬似基地局１１ａ〜１１ｃの設定に不整合が生じることが防止される。
【００４９】
第２種別のコマンドは、擬似基地局１１ａ〜１１ｃのうち少なくとも１つの擬似基地局を制御内容の通りに制御するとともに、他の擬似基地局１１ａ〜１１ｃを制御内容が相反するように制御するためのコマンドであり、制御内容の通りに制御する制御対象とするＣＣと、制御内容が相反するように制御するＣＣとが規定される。
【００５０】
第２種別のコマンドとしては、「CALLPROC」及び「CHCODING RMC_DLCA_PCC」などがある。例えば、「CALLPROC」は、呼処理を行うか否かを設定するためのコマンドであり、制御部１２は、「CALLPROC」に応じて、例えば、呼処理を行うように擬似基地局１１ａを制御する一方で、呼処理を行わないように擬似基地局１１ｂ及び１１ｃを制御する。
【００５１】
「CHCODING RMC_DLCA_PCC」は、チャネルコーディングをＰＣＣの下りのＲＭＣ用に設定するためのコマンドであり、制御部１２は、「CHCODING RMC_DLCA_PCC」に応じて、チャネルコーディングをＰＣＣの下りのＲＭＣに設定するように擬似基地局１１ａを制御する一方で、チャネルコーディングをＳＣＣの下りのＲＭＣ用に設定するように擬似基地局１１ｂ及び１１ｃを制御する。
【００５２】
このように、「CALLPROC」及び「CHCODING RMC_DLCA_PCC」などの第２種別のコマンドは、一度の受信に対して、制御部１２によって制御対象である擬似基地局１１ａ〜１１ｃが制御される一方で、制御対象でない擬似基地局１１ａ〜１１ｃが相反する制御内容で制御される。これにより、コマンドの過不足などの原因で擬似基地局１１ａ〜１１ｃの設定に不整合が生じることが防止される。
【００５３】
第３種別のコマンドは、ＴＣＰポート番号によって識別される擬似基地局１１ａ〜１１ｃを制御するためのコマンドで、例えば、複数の移動端末試験装置を用いて、ＬＴＥ−Ａに準拠した移動端末３を試験していたときに使用されていたコマンドである。
【００５４】
このような第３種別のコマンドは、例えば、複数の移動端末試験装置を用いて移動端末の試験を行うためにユーザが作成したリモートシーケンスを動作させるために必要なコマンドである。このため、移動端末試験装置１は、第３種別のコマンドでも移動端末３を試験することができるように、コマンド変換部１４を備えている。
【００５５】
コマンド変換部１４は、第３種別のコマンドがコマンド受信部１０によって受信された場合には、第３種別のコマンドに付されたポート番号及び第３種別のコマンドの制御内容に応じて、少なくとも１つの第３種別のコマンドを第１種別及び第２種別のコマンドのいずれかのコマンドに変換するようになっている。なお、コマンド変換部１４は、コマンド受信部１０によって第１種別又は第２種別のコマンドが受信された場合には、コマンドの変換を行わないようになっている。
【００５６】
第３種別のコマンドとしては、「PRESET」、「CALLPROC」、「CHCODING RMC_DLCA_PCC」、「CHCODING RMC_DLCA_SCC」、「DLSCC」、「BANDWIDTH」、「DLCHAN」、「BANDWIDTH_SCC1」、「DLCHAN_SCC1」、「BANDWIDTH_SCC2」、「DLCHAN_SCC2」、「DLRMC_RB」、「DLRB_START」、「DLIMCS1」、「DLIMCS2」、「DLIMCS3」、「OLVL」、「DLRMC_RB_SCC1」、「DLRB_START_SCC1」、「DLIMCS1_SCC1」、「DLIMCS2_SCC1」及び「DLIMCS3_SCC1」などがある。
【００５７】
これら第３種別の各コマンドは、ＩＰアドレスなどの識別情報を付して複数の移動端末試験装置を連携させていた従来のコマンドと同様であるため、各コマンドについての詳細な説明は省略する。
【００５８】
コマンド変換部１４は、コマンド受信部１０によって受信された第３種別のコマンドを第１種別のコマンドに変換するようになっている。ただし、第１種別又は第２種別の１つのコマンドに変換される複数の第３種別のコマンドがコマンド受信部１０によって受信された場合には、コマンド変換部１４は、第１種別又は第２種別のコマンドに変換される全ての第３種別のコマンドがコマンド受信部１０によって受信されたことを条件に、これら第３種別のコマンドを第１種別又は第２種別の１つのコマンドに変換するようになっている。
【００５９】
例えば、コマンド変換部１４は、擬似基地局１１ａ〜１１ｃの各ポート番号が付された第３種別の「PRESET」がコマンド受信部１０によって全て受信されたことを条件として、第１種別の「PRESET」に変換するようになっている。
【００６０】
また、コマンド変換部１４は、擬似基地局１１ａのポート番号が付された「BANDWIDTH_SCC1」と、擬似基地局１１ｂのポート番号が付された「BANDWIDTH」とがコマンド受信部１０によって全て受信されたことを条件として、第１種別の「BANDWIDTH_SCC1」に変換するようになっている。
【００６１】
また、コマンド変換部１４は、擬似基地局１１ａ〜１１ｃの各ポート番号が付された第３種別の「CALLPROC」がコマンド受信部１０によって全て受信されたことを条件として、第２種別の「CALLPROC」に変換するようになっている。
【００６２】
以上に説明したように、制御部１２は、第１種別又は第２種別のコマンドに応じた擬似基地局１１ａ〜１１ｃを当該コマンドに応じて制御するようになっている。詳細には、制御部１２は、第１種別又は第２種別のコマンドに応じて、パラメータの設定、移動端末３の状態を変更させる信号の送信、及び、計測用のデータの送信などを擬似基地局１１ａ〜１１ｃに実行させるようになっている。
【００６３】
また、応答データ解析部１５は、コマンドを受信した移動端末３によって送信された応答データを擬似基地局１１ａ〜１１ｃを介して受信し、受信した応答データを解析するようになっている。
【００６４】
解析データ送信部１６は、応答データ解析部１５による解析の結果を表す解析データをＰＣ２に送信するようになっている。これにより、ＰＣ２は、ＰＣ２に設けられた表示装置などに解析データ、すなわち、移動端末３の試験結果などを表す画像を表示させることができる。
【００６５】
なお、移動端末試験装置１が表示装置を有する場合には、解析データ送信部１６は、解析データを移動端末試験装置１の表示装置に送信し、移動端末３の試験結果などを表す画像を表示させるようにしてもよい。
【００６６】
以上のように構成された本発明の実施の形態に係る移動端末試験装置１によるコマンド受信動作について図２を参照して説明する。なお、以下に説明するコマンド受信動作は、ＰＣ２から送信されたコマンドが移動端末試験装置１によって受信されたことを契機にスタートする。
【００６７】
したがって、ＰＣ２に予め格納された一連のコマンドよりなるリモートシーケンスに沿って、ＰＣ２から送信されたコマンドが移動端末試験装置１に受信される度に、コマンド受信動作が実行される。
【００６８】
ＰＣ２から送信されたコマンドが移動端末試験装置１のコマンド受信部１０によって受信されると、コマンド変換部１４は、受信コマンドに擬似基地局１１ａ〜１１ｃのポート番号が付されているか否かを判断する（ステップＳ１）。
【００６９】
受信コマンドに擬似基地局１１ａ〜１１ｃのポート番号が付されていると判断した場合、すなわち、受信コマンドが第３種別の受信コマンドである場合には、コマンド変換部１４は、第１種別又は第２種別のコマンドに変換するための全ての第３種別のコマンドを受信したか否かを判断する（ステップＳ２）。
【００７０】
第１種別又は第２種別のコマンドに変換するための全ての第３種別のコマンドを受信していないと判断した場合には、コマンド変換部１４は、コマンド受信動作を終了する。一方、第１種別又は第２種別のコマンドに変換するための全ての第３種別のコマンドを受信したと判断した場合には、コマンド変換部１４は、第１種別又は第２種別のコマンドに変換するための全ての第３種別の受信コマンドを１つの第１又は第２種別のコマンドに変換する（ステップＳ３）。
【００７１】
ステップＳ１において、受信コマンドに擬似基地局１１ａ〜１１ｃのポート番号が付されていないと判断した場合、すなわち、受信コマンドが第１種別又は第２種別のコマンドである場合、又は、ステップＳ３の処理を実行した後、制御部１２は、受信コマンド又はステップＳ３で変換された第１種別又は第２種別の変換コマンドに応じた擬似基地局１１ａ〜１１ｃを受信コマンド又は変換コマンドに応じて制御し（ステップＳ４）、コマンド受信動作を終了する。
【００７２】
以上に説明したように、本実施の形態は、第１種別又は第２種別の１つのコマンドによって複数の擬似基地局１１ａ〜１１ｃを連携させて制御することができるため、複数のキャリアを用いて通信を行う規格に準拠した移動端末３の試験を行うにあたって、コマンドを設定するユーザにかかる負担を軽減することができる。
【００７３】
また、本実施の形態は、コマンド変換部１４を設けることにより、複数のキャリアを用いて通信を行う規格に準拠した移動端末３を試験するために複数の移動端末試験装置を用いる際に使用する第３種別の一連のコマンドよりなるリモートシーケンスを利用することができ、リモートシーケンスを新たに作成するユーザの負担を省くことができる。
【００７４】
なお、本実施の形態における移動端末試験方法は、移動端末３と信号を送受信することで基地局を擬似する複数の擬似基地局１１ａ〜１１ｃを有する移動端末試験装置１を用いて、外部端末２から送信されたコマンドに基づいて移動端末３の試験を行う。
【００７５】
本実施の形態における移動端末試験方法は、外部端末２から送信されたコマンドを受信するコマンド受信ステップと、コマンド受信ステップで受信されたコマンドに応じて複数の擬似基地局１１ａ〜１１ｃを制御する制御ステップとを有する。
【００７６】
制御ステップは、第１種別のコマンドがコマンド受信ステップで受信されたことを条件に、複数の擬似基地局１１ａ〜１１ｃのうち第１種別のコマンドに応じた少なくとも１つの擬似基地局を第１種別のコマンドに応じて制御する第１制御ステップと、第２種別のコマンドがコマンド受信ステップで受信されたことを条件に、複数の擬似基地局１１ａ〜１１ｃのうち第２種別のコマンドに応じた少なくとも１つの擬似基地局を第２種別のコマンドの制御内容の通りに制御するとともに、他の擬似基地局を第２種別のコマンドと制御内容が相反するように制御する第２制御ステップとを含む。
【００７７】
また、本実施の形態における移動端末試験方法は、擬似基地局１１ａ〜１１ｃを識別するためのポート番号が付された第３種別のコマンドがコマンド受信ステップで受信された場合には、第３種別のコマンドに付されたポート番号及び第３種別のコマンドの制御内容に応じて、少なくとも１つの第３種別のコマンドを第１種別及び第２種別のコマンドのいずれかのコマンドに変換するコマンド変換ステップを更に有する。
【００７８】
また、上述した実施の形態において、複数の第３種別のコマンドに基づいて、第１種別又は第２種別のコマンドに変換されるコマンドについては、コマンド変換部１４は、第１種別又は第２種別のコマンドに変換される全ての第３種別のコマンドがコマンド受信部１０によって受信されたことを条件に、これら第３種別のコマンドを１つの第１種別又は第２種別のコマンドに変換するものとして説明した。
【００７９】
これに対し、コマンド変換部１４は、複数の第３種別のコマンドに基づいて、第１種別又は第２種別のコマンドに変換されるコマンドについては、第１種別又は第２種別のコマンドに変換するために必要な情報が付されたコマンドがコマンド受信部１０によって受信されたことを条件に、受信済みの第３種別のコマンドを第１種別又は第２種別のコマンドに変換し、残りの第３種別のコマンドを廃棄するようにしてもよい。
【００８０】
例えば、コマンド変換部１４は、擬似基地局１１ａのポート番号が付された第３種別の「PRESET」がコマンド受信部１０によって受信されたことを条件として、この第３種別の「PRESET」を第１種別の「PRESET」に変換し、擬似基地局１１ｂ又は１１ｃのポート番号が付された第３種別の「PRESET」を廃棄するようにしてもよい。
【００８１】
また、コマンド変換部１４は、擬似基地局１１ａ〜１１ｃのいずれかのポート番号が付されてコマンド受信部１０によって受信された第３種別の「CALLPROC」のパラメータが「ON」であることを条件として、この第３種別の「CALLPROC」を第２種別の「CALLPROC」に変換し、他の擬似基地局のポート番号が付された第３種別の「CALLPROC」を廃棄するようにしてもよい。
【００８２】
また、上述した実施の形態において、コマンド変換部１４は、受信コマンドに擬似基地局１１ａ〜１１ｃのポート番号が付されているか否かを判断することにより、受信コマンドが第３種別のコマンドであるか否かを判別するものとして説明した。
【００８３】
これに対し、第３種別のコマンドを受信するか否かを決定するスイッチを移動端末試験装置１に設け、コマンド変換部１４は、スイッチの状態に応じて、受信コマンドが第３種別のコマンドであるか否かを判別するようにしてもよい。
【００８４】
また、コマンド変換部１４は、第３種別のコマンドを受信するか否かを決定する制御信号をＰＣ２から受けて、この制御信号に応じて、受信コマンドが第３種別のコマンドであるか否かを判別するようにしてもよい。
【００８５】
以上、本発明の実施の形態を開示したが、当業者によっては本発明の範囲を逸脱することなく変更が加えられうることは明白である。すべてのこのような修正及び等価物が特許請求の範囲に記載された請求項に含まれることが意図されている。
【符号の説明】
【００８６】
１  移動端末試験装置
２  ＰＣ（外部端末）
３  移動端末
１０  コマンド受信部
１１ａ〜１１ｃ  擬似基地局
１２  制御部
１４  コマンド変換部
【図１】
0006388848.tif 000002
【図２】
0006388848.tif 000003